(57)【要約】      （修正有）【課題】電気コネクタ同士の嵌合状態を強固に維持することを可能とする。【解決手段】相手コネクタの嵌合方向と直交する方向に弾性変位するように導電性シェル部材に設けた弾性アーム状部材２３ｄに、相手コネクタが嵌合方向の奥から対面するコネクタ当接面２３ｅ１と、導電性シェル部材の一部が嵌合方向の手前から対面するシェル当接面２３ｅ２とを有する係止片２３ｅを設け、嵌合状態にある相手コネクタに対して嵌合方向と反対の方向である抜去方向に外力が付加された際に、相手コネクタと導電性シェル部材との間で係止片２３ｅを挟持した状態として、相手コネクタから係止片２３ｅが外れてロック解除に至るような事態を回避する構成を備えたものである。【選択図】図２４
2018186057.tif 000002
【特許請求の範囲】
【請求項１】
信号伝送媒体の端末部分が連結された相手コネクタが嵌合されるものであって、
前記相手コネクタの嵌合方向に延在して、前記相手コネクタの電極部に接触可能に配置されたコンタクト部材と、
前記コンタクト部材の少なくとも一部を取り囲む状態に配置された導電性シェル部材と、
を備えた電気コネクタにおいて、
前記相手コネクタとの嵌合の際、前記相手コネクタと当接して前記嵌合方向と直交する方向に弾性変位する弾性アーム状部材が、前記導電性シェル部材に設けられているとともに、
前記弾性アーム状部材に、前記相手コネクタに当接する係止片が設けられたものであって、
前記係止片は、嵌合状態にある前記相手コネクタに対して、前記嵌合方向と反対の方向である抜去方向に外力が付加された際、当該係止片よりも前記嵌合方向の奥にある前記相手コネクタの当接面に当接するコネクタ当接面と、前記コネクタ当接面に対向して設けられ、前記コネクタ当接面に前記相手コネクタの当接面が当接した際、前記導電性シェル部材の一部に当接して前記相手コネクタの移動を規制するシェル当接面と、を有していることを特徴とする電気コネクタ。
【請求項２】
ケーブル状信号伝送媒体の端末部分が連結された第１コネクタと、その第１コネクタが嵌合される第２コネクタと、を備えたものであって、
前記第２コネクタに、前記第１コネクタの嵌合方向に延在して前記第１コネクタの電極部に接触可能に配置されたコンタクト部材と、当該コンタクト部材の少なくとも一部を取り囲む状態に配置された導電性シェル部材と、が設けられた電気コネクタ装置において、
前記第１コネクタと前記第２コネクタとが嵌合される際、前記第１コネクタに当接して前記嵌合方向と直交する方向に弾性変位する弾性アーム状部材が、前記第２コネクタの導電性シェル部材に設けられているとともに、
前記第２コネクタの前記弾性アーム状部材に、前記第１コネクタに当接する係止片が設けられたものであって、
前記第２コネクタの前記係止片は、
嵌合状態にある前記第１コネクタに対して前記嵌合方向と反対の方向である抜去方向に外力が付加された際、当該係止片よりも前記嵌合方向の奥にある前記第１コネクタの当接面に当接するコネクタ当接面と、
前記コネクタ当接面に対向して設けられ、前記コネクタ当接面に前記第１コネクタの当接面が当接した際、前記導電性シェル部材の一部に当接して前記第１コネクタの移動を規制するシェル当接面と、
を有していることを特徴とする電気コネクタ装置。
【請求項３】
前記弾性アーム状部材は、前記導電性シェル部材から前記嵌合方向又はその反対方向に延出した後に、その延出方向と反対の方向に折り返された状態に延在していることを特徴とする請求項１記載の電気コネクタ又は請求項２記載の電気コネクタ装置。
【請求項４】
前記弾性アーム状部材及び係止片が、前記嵌合方向と直交する方向に対向する状態で一組設けられていることを特徴とする請求項１記載の電気コネクタ又は請求項２記載の電気コネクタ装置。
【請求項５】
前記係止片のシェル当接面が対面する前記導電性シェル部材の一部が、当該導電性シェル部材に設けられ、前記係止片が挿通された貫通穴の開口縁部により構成されていることを特徴とする請求項１記載の電気コネクタ又は請求項２記載の電気コネクタ装置。
【請求項６】
前記導電性シェル部材には、前記相手コネクタ又は前記第１コネクタに対して前記係止片が当接しない位置まで当該導電性シェル部材を変位させる解除操作部が設けられていることを特徴とする請求項１記載の電気コネクタ又は請求項２記載の電気コネクタ装置。
【請求項７】
前記係止片のコネクタ当接面が対面する相手コネクタ又は第１コネクタの一部が、当該相手コネクタ又は第１コネクタに設けられた導電性シェル部材であることを特徴とする請求項１記載の電気コネクタ又は請求項２記載の電気コネクタ装置。
【発明の詳細な説明】
【技術分野】
【０００１】
本発明は、相手コネクタと嵌合される構成の電気コネクタ及び電気コネクタ装置に関する。
【背景技術】
【０００２】
一般に、種々の電気機器において、一対の電気コネクタ同士を嵌合させることによって電気的な接続を行うようにした電気コネクタ装置が広く用いられている。このような電気コネクタ装置においては、一対の電気コネクタ同士を嵌合させた際に、電気コネクタ同士の嵌合状態を維持するためにロック機構がしばしば採用されている。例えば下記の特許文献１等において開示された、いわゆるメカニカルロック機構は、機械的に係合するロック片によって嵌合保持力を得るようにしたものであり、嵌合状態にある電気コネクタ（相手コネクタ）に対して、嵌合方向と反対の方向である抜去方向に外力が付加された場合に、双方の電気コネクタに設けられたロック片同士が抜去方向に当接し合って係合関係となることにより電気コネクタの嵌合状態を維持させる構成を備えている。
【０００３】
しかしながら、従来の電気コネクタ装置に設けられたロック機構においては、嵌合状態にある電気コネクタ（相手コネクタ）を抜去させる方向に付加される外力に対して、ロック片を支持する部材が設けられていない。従って、抜去方向の外力に対抗し得る限界荷重が十分であるとは言えず、比較的弱い外力が付加された場合にあっても、ロック機構の係合関係が解除され、あるいはロック機構に破壊を生じるおそれがあり、電気的な接続が損なわれてしまうことも考えられる。
【先行技術文献】
【特許文献】
【０００４】
【特許文献１】特開２０１６−３１７８０号公報
【発明の開示】
【発明が解決しようとする課題】
【０００５】
そこで本発明は、電気コネクタ同士の嵌合状態を強固に維持することができるようにした電気コネクタ及び電気コネクタ装置を提供することを目的とする。
【課題を解決するための手段】
【０００６】
上記目的を達成するため請求項１にかかる発明においては、信号伝送媒体の端末部分が連結された相手コネクタが嵌合されるものであって、前記相手コネクタの嵌合方向に延在して、前記相手コネクタの電極部に接触可能に配置されたコンタクト部材と、前記コンタクト部材の少なくとも一部を取り囲む状態に配置された導電性シェル部材とを備えた電気コネクタにおいて、前記相手コネクタとの嵌合の際、前記相手コネクタと当接して前記嵌合方向と直交する方向に弾性変位する弾性アーム状部材が、前記導電性シェル部材に設けられているとともに、前記弾性アーム状部材に、前記相手コネクタに当接する係止片が設けられたものであって、前記係止片は、嵌合状態にある前記相手コネクタに対して、前記嵌合方向と反対の方向である抜去方向に外力が付加された際、当該係止片よりも前記嵌合方向の奥にある前記相手コネクタの当接面に当接するコネクタ当接面と、前記コネクタ当接面に対向して設けられ、前記コネクタ当接面に前記相手コネクタの当接面が当接した際、前記導電性シェル部材の一部に当接して前記相手コネクタの移動を規制するシェル当接面とを有する構成が採用されている。
【０００７】
このような構成を有する請求項１にかかる電気コネクタによれば、嵌合状態にある相手コネクタに対して嵌合方向と反対の方向である抜去方向に外力が付加された際に、相手コネクタの当接面が係止片のコネクタ当接面に当接するとともに、その係止片のコネクタ当接面に対向して設けられたシェル当接面が導電性シェル部材の一部に当接して相手コネクタの移動を規制する状態となることから、相手コネクタから係止片が外れてロック解除に至るような事態が回避される。
【０００８】
また、請求項２にかかる発明では、ケーブル状信号伝送媒体の端末部分が連結された第１コネクタと、その第１コネクタが嵌合される第２コネクタと、を備えたものであって、前記第２コネクタに、前記第１コネクタの嵌合方向に延在して前記第１コネクタの電極部に接触可能に配置されたコンタクト部材と、当該コンタクト部材の少なくとも一部を取り囲む状態に配置された導電性シェル部材と、が設けられた電気コネクタ装置において、前記第１コネクタと前記第２コネクタとが嵌合される際、前記第１コネクタに当接して前記嵌合方向と直交する方向に弾性変位する弾性アーム状部材が、前記第２コネクタの導電性シェル部材に設けられているとともに、前記第２コネクタの前記弾性アーム状部材に、前記第１コネクタに当接する係止片が設けられたものであって、前記第２コネクタの前記係止片は、嵌合状態にある前記第１コネクタに対して前記嵌合方向と反対の方向である抜去方向に外力が付加された際、当該係止片よりも前記嵌合方向の奥にある前記第１コネクタの当接面に当接するコネクタ当接面と、前記コネクタ当接面に対向して設けられ、前記コネクタ当接面に前記第１コネクタの当接面が当接した際、前記導電性シェル部材に当接して前記第１コネクタの移動を規制するシェル当接面とを有する構成が採用されている。
【０００９】
このような構成を有する請求項２にかかる発明によれば、嵌合状態にある第１コネクタに対して嵌合方向と反対の方向である抜去方向に外力が付加された際に、第１コネクタの一部が係止片のコネクタ当接面に当接するとともに、その係止片のコネクタ当接面に対向して設けられたシェル当接面が導電性シェル部材の一部に当接して第１コネクタの移動を規制する状態となることから、第１コネクタから係止片が外れてロック解除に至るような事態が回避される。
【００１０】
さらに、請求項３にかかる発明のように、前記弾性アーム状部材は、前記導電性シェル部材から前記嵌合方向又はその反対方向に延出した後に、その延出方向と反対の方向に折り返された状態に延在する構成を採用することが望ましい。
【００１１】
このような構成を有する請求項３にかかる発明によれば、弾性アーム状部材が、折り返されている分だけ長尺化されることとなり、当該弾性アーム状部材に設けられた係止片の弾性変位が十分に確保される。
【００１２】
さらにまた、請求項４にかかる発明のように、前記弾性アーム状部材及び係止片が、前記嵌合方向と直交する方向に対向する状態で一組設けられていることが可能である。
【００１３】
また、請求項５にかかる発明のように、前記係止片のシェル当接面が対面する前記導電性シェル部材の一部が、当該導電性シェル部材に設けられ、前記係止片が挿通された貫通穴の開口縁部により構成されていることが可能である。
【００１４】
さらに、請求項６にかかる発明のように、前記導電性シェル部材には、前記相手コネクタ又は前記第１コネクタに対して前記係止片が当接しない位置まで当該導電性シェル部材を変位させる解除操作部が設けられていることが望ましい。
【００１５】
このような構成を有する請求項６にかかる発明によれば、相手コネクタ又は第１コネクタの抜去操作が容易に行われる。
【００１６】
さらにまた、請求項７にかかる発明のように、前記係止片のコネクタ当接面が対面する相手コネクタ又は第１コネクタの一部が、当該相手コネクタ又は第１コネクタに設けられた導電性シェル部材であることが可能である。
【発明の効果】
【００１７】
以上述べたように本発明は、相手コネクタ又は第１コネクタの嵌合方向と直交する方向に弾性変位する導電性シェル部材の弾性アーム状部材に、相手コネクタ又は第１コネクタが嵌合方向の奥から対面するコネクタ当接面と、コネクタ当接面に対向して設けられたシェル当接面とを有する係止片を設け、嵌合状態にある相手コネクタ又は第１コネクタに対して嵌合方向と反対の方向である抜去方向に外力が付加された際に、相手コネクタ又は第１コネクタと導電性シェル部材との間で係止片を挟持した状態として、相手コネクタ又は第１コネクタから係止片が外れてロック解除に至るような事態を回避する構成を備えたものであるから、電気コネクタ同士の嵌合状態を強固に維持することができる。
【図面の簡単な説明】
【００１８】
【図１】本発明における相手コネクタ（第１コネクタ）としてのプラグコネクタの一例を正面上方から表した外観斜視説明図である。
【図２】図１に示されたプラグコネクタ（相手コネクタ）の平面説明図である。
【図３】図１及び図２に示されたプラグコネクタ（相手コネクタ）の正面説明図である。
【図４】図１〜図３に示されたプラグコネクタ（相手コネクタ）と、そのプラグコネクタに連結される同軸ケーブル（信号伝送媒体）と、当該同軸ケーブルの端末部分に装着されるプラグコンタクト部材と、を表した分解斜視説明図である。
【図５】図１〜図４に示されたプラグコネクタ（相手コネクタ）に用いられている絶縁ハウジングを水平面で切断して表したものであって、(Ａ)は絶縁ハウジング単品の断面外観斜視説明図、(Ｂ)は絶縁ハウジングにプラグコンタクト部材を装着した状態の断面外観斜視説明図である。
【図６】図１〜図４に示されたプラグコネクタ（相手コネクタ）に用いられている絶縁ハウジングにプラグコンタクト部材を装着した状態を水平面で切断して表した平面説明図である。
【図７】図６に示された絶縁ハウジングにプラグコンタクト部材を装着した状態を長手方向の垂直面で切断して表した側面説明図である。
【図８】図６に示された絶縁ハウジングにプラグコンタクト部材を装着した状態を幅方向垂直面で切断して表した側面説明図である。
【図９】図１〜図５に示されたプラグコネクタ（相手コネクタ）に用いられているプラグコンタクト部材を正面上方から表した外観斜視説明図である。
【図１０】図９に示されたプラグコンタクト部材の側面説明図である。
【図１１】図９及び図１０に示されたプラグコンタクト部材の正面説明図である。
【図１２】図９〜図１１に示されたプラグコンタクト部材の底面説明図である。
【図１３】本発明の一実施形態にかかる同軸型電気コネクタとしてのレセプタクルコネクタを正面上方から表した外観斜視説明図である。
【図１４】図１３示されたレセプタクルコネクタを正面下方から表した外観斜視説明図である。
【図１５】図１３及び図１４に示されたレセプタクルコネクタの側面説明図である。
【図１６】図１３〜図１５に示されたレセプタクルコネクタの背面説明図である。
【図１７】図１３〜図１６に示されたレセプタクルコネクタを分解して表した外観斜視説明図である。
【図１８】図１３〜図１７に示されたレセプタクルコネクタに用いられているレセコンタクト部材を正面上方から表した外観斜視説明図である。
【図１９】図１８に示されたレセコンタクト部材を背面上方から表した外観斜視説明図である。
【図２０】図１３〜図１７に示された本発明の一実施形態にかかる同軸型電気コネクタとしてのレセプタクルコネクタに、図１〜図４に示された相手コネクタ（第１コネクタ）としてのプラグコネクタを嵌合した状態を、レセプタクルコネクタの正面上方から表した外観斜視説明図である。
【図２１】図２０に示されたレセプタクルコネクタとプラグコネクタとの嵌合状態を、レセプタクルコネクタの正面下方から表した外観斜視説明図である。
【図２２】図２０及び図２１に示されたレセプタクルコネクタとプラグコネクタとの嵌合状態を表した平面説明図である。
【図２３】図２０〜図２２に示されたレセプタクルコネクタとプラグコネクタとの嵌合状態を表した側面説明図である。
【図２４】図２３中の XXIV− XXIV 線に沿った水平断面説明図である。
【図２５】図２２中の XXV− XXV 線に沿った水平断面説明図である。
【図２６】図２２中の XXVI− XXVI 線に沿った水平断面説明図である。
【図２７】プラグコンタクト部材とレセコンタクト部材との接続状態を表した平面図である。
【図２８】レセプタクルコネクタ（第２コネクタ）にプラグコネクタ（第１コネクタ）を嵌合する各段階における係止片の弾性変位状態を拡大して表したものであって、（Ａ）はプラグコネクタを挿入し始めた段階における部分拡大水平断面説明図、（Ｂ）はプラグコネクタが係止片に当接した状態の部分拡大水平断面説明図、（Ｃ）はプラグコネクタの嵌合を完了した状態の部分拡大水平断面説明図、（Ｄ）はプラグコネクタが抜去方向の外力を受けた状態の部分拡大水平断面説明図である。
【発明を実施するための形態】
【００１９】
以下、信号伝送媒体として細線同軸ケーブルを使用する同軸型電気コネクタに本発明を適用した実施形態についての説明を図面に基づいて詳細に行う。
【００２０】
［同軸型電気コネクタ装置の全体構造について］
まず、図１〜図５に示されている相手コネクタ（第１コネクタ）としてのプラグコネクタ１０は、ケーブル状信号伝送媒体としての細線同軸ケーブルＳＣの端末部分が連結される構成になされており、図１３〜図１７に示された本発明の一実施形態にかかる同軸型電気コネクタ（第２コネクタ）としてのレセプタクルコネクタ２０は、図示を省略した配線基板上に実装される構成になされている。そして、レセプタクルコネクタ２０に対して、配線基板の実装表面（主面）の延在方向に沿ってプラグコネクタ１０が差し込まれるようにして嵌合が行われるとともに、その反対方向に抜去が行われる構成になされている。このレセプタクルコネクタ２０に対するプラグコネクタ１０の嵌合・抜去作業は、配線基板の実装表面（主面）に対して平行な水平方向に行われる。
【００２１】
ここで、上述したように配線基板の実装表面（主面）の延在方向を「水平方向」とするとともに、その配線基板の実装表面（主面）に対して直交する方向に離れる方向を「高さ方向」における「上方」とし、それとは逆に配線基板の実装表面（主面）に向かって近付く方向を「下方」とする。また、レセプタクルコネクタ（第２コネクタ）２０に対してプラグコネクタ（第１コネクタ）１０を嵌合する方向を「嵌合方向」とし、プラグコネクタ１０及びレセプタクルコネクタ２０の各々においては、相手側に向かって嵌合を行う方向を「前方」、それとは反対に抜去を行う方向を「後方」とする。また、そのような嵌合・抜去を行う「前後方向」に直交し、且つ「水平方向」と平行な方向を「幅方向」とする。
【００２２】
［細線同軸ケーブルについて］
上述したプラグコネクタ（第１コネクタ）１０及びレセプタクルコネクタ（第２コネクタ）２０の詳細な構造を説明するに先立って、ケーブル状信号伝送媒体としての細線同軸ケーブルＳＣの具体的な構造を説明しておく。特に図４に示されているように、細線同軸ケーブルＳＣは、その中心軸線に沿ってケーブル中心導体（信号線）ＳＣａを備えているとともに、当該ケーブル中心導体ＳＣａに対して、絶縁材からなるケーブル誘電体ＳＣｃを介してケーブル外部導体（シールド線）ＳＣｂが同軸状に配置されている。そのうちのケーブル外部導体ＳＣｂは、外周被覆材ＳＣｄが皮剥きされることによって露出状態になされているとともに、ケーブル中心導体ＳＣａは、さらにケーブル外部導体ＳＣｂ及びケーブル誘電体ＳＣｃが皮剥きされることによって露出状態になされている。
【００２３】
そして、その露出状態になされた細線同軸ケーブルＳＣのケーブル中心導体（信号線）ＳＣａが、絶縁ハウジング１１に後述するように取り付けられたプラグコンタクト部材１２に連結されて信号接続が行われるとともに、そのケーブル中心導体ＳＣａの外周側を取り囲むように配置されたケーブル外部導体（シールド線）ＳＣｂは、後述する導電性シェル部材１３の一部にカシメ固定されてグランド接続されるようになっている。
【００２４】
［プラグコネクタについて］
上述したプラグコネクタ（第１コネクタ）１０のコネクタ本体部分を構成している絶縁ハウジング１１は、特に図４〜図８に示されているように、概略形状において四角柱状をなす樹脂等の絶縁性部材から形成されており、その略四角柱形状をなす絶縁ハウジング１１の内部には、当該絶縁ハウジング１１を「前後方向」に貫通する端末配置空間１１ａが設けられている。
【００２５】
その端末配置空間１１ａの内部における「前方」部分（嵌合方向の奥部分）は、プラグコンタクト部材１２が配置された、比較的拡大された幅寸法を有するコネクタ嵌合通路１１ａ１になされているとともに、端末配置空間１１ａの「後方」部分（嵌合方向の手前部分）は、プラグコンタクト部材１２に連結された細線同軸ケーブルＳＣの終端部分が配置される比較的狭い幅寸法を有するケーブル配置通路１１ａ２になされている。このときの細線同軸ケーブルＳＣの端末部分は、端末配置空間１１ａのケーブル配置通路１１ａ２から「後方」に向かって延出した状態になされる。
【００２６】
なお、プラグコネクタ（第１コネクタ）１０がレセプタクルコネクタ（第２コネクタ）２０の内方に差し込まれるようにして嵌合が行われた際にあっては、上述した端末配置空間１１ａのコネクタ嵌合通路１１ａ１内に、レセプタクルコネクタ２０の絶縁ハウジング２１に取り付けられたレセコンタクト部材２２が配置されており（図２４〜図２７参照）、プラグコンタクト部材１２に対してレセコンタクト部材２２が接触状態になされる。この点については、後段において詳細に説明する。
【００２７】
一方、上述した端末配置空間１１ａのコネクタ挿入通路１１ａ１には、特に図５（Ｂ）に示されているように、「幅方向」の略中央位置にコンタクト取付部１１ｂが立壁状をなすように設けられている。このコンタクト取付部１１ｂは、絶縁ハウジング１１の「高さ方向」における上下対向壁部の一方から立ち上がった状態で、後述するプラグコンタクト部材１２の電極部（接点部）１２ａと略同じ長さにわたって「前後方向」に延在している。そして、そのコンタクト取付部１１ｂに対して、プラグコンタクト部材１２の電極部１２ａが「上方」から跨った状態で装着されている。
【００２８】
［プラグコンタクト部材について］
一方、上述したように絶縁ハウジング１１のコンタクト取付部１１ｂに装着されたプラグコンタクト部材１２は、特に図８〜図１２に示されているように、当該プラグコンタクト部材１２の「前方」部分が電極部（接点部）１２ａになされている。このプラグコンタクト部材１２の電極部１２ａは、「前後方向」に沿って見たときの形状が略Ｕ字状をなすように折り曲げられた薄厚の金属板から形成されている。その略Ｕ字形状をなす電極部１２ａは、「前後方向」に予め決められた長さにわたって延在している。
【００２９】
また、このプラグコンタクト部材１２の電極部（接点部）１２ａにおける略Ｕ字形状の内方空間は、「幅方向」において予め決められた距離を備えている。このときのプラグコンタクト部材１２の電極部１２ａが有する内方空間の「幅方向」の距離は、上述した絶縁ハウジング１１のコンタクト取付部１１ｂにおける「幅方向」の厚さと同一又は僅かに小さく設定されており、当該プラグコンタクト部材１２の電極部１２ａが、絶縁ハウジング１１のコンタクト取付部１１ｂに対して外方から被せるようにして圧入状態で装着されている。その結果、プラグコンタクト部材１２の電極部１２ａは、図５（Ｂ）に示すように絶縁ハウジング１１の一部であるコンタクト取付部１１ｂを嵌合方向（前後方向）に対して直交する「幅方向」に挟持した状態で取り付けられている。
【００３０】
このように本実施形態においては、プラグコンタクト部材１２が、絶縁ハウジング１１の一部であるコンタクト取付部１１ｂを「幅方向」に挟持した状態で取り付けられているとともに、後述するようにして嵌合状態になされたレセプタクルコネクタ（第２コネクタ）２０に設けられたレセコンタクト部材２２の電極部（接点部）が、嵌合方向（前後方向）に対して直交する「幅方向」にプラグコンタクト部材１２を押圧する状態となる。その結果、絶縁ハウジング１１に対してプラグコンタクト部材１２が強固な固定状態になされる。
【００３１】
ここで、上述した絶縁ハウジング１１のコンタクト取付部１１ｂに対するプラグコンタクト部材１２の電極部（接点部）１２ａの装着は、上述した端末配置空間１１ａのケーブル配置通路１１ａ２を通して、当該プラグコネクタ（第１コネクタ）１０における「後方」から「前方」に向かって差し込むようにして行われる。そして、そのプラグコンタクト部材１２の装着状態は、プラグコンタクト部材１２に設けられた固定片１２ｃが、上述した絶縁ハウジング１１のコンタクト取付部１１ｂに対して係合した状態になされることで維持され、それによってプラグコンタクト部材１２の全体が、絶縁ハウジング１１に取り付けられる構成になされている。
【００３２】
すなわち、上述したプラグコンタクト部材１２の電極部（接点部）１２ａにおける「高さ方向」の「下方」領域には、当該プラグコンタクト部材１２の一部を爪状に切り起こした固定片１２ｃが設けられている。この固定片１２ｃは、図６に示すようにプラグコンタクト部材１２における「幅方向」の両側壁部に、互いに対向する状態で一対のものが設けられており、プラグコンタクト部材１２が有する略Ｕ字形状の内方空間に向かって切り起こされている。そして、それらの両固定片１２ｃ，１２ｃが、絶縁ハウジング１１のコンタクト取付部１１ｂの両側壁に対して食い込むようにして係合されることによって、プラグコンタクト部材１２の全体が固定状態になされている。
【００３３】
このようなプラグコンタクト部材１２に設けられた各固定片１２ｃは、上述した電極部１２ａに対して、嵌合の方向（前後方向）に次のような位置関係を有している。すなわち、レセプタクルコネクタ（第２コネクタ）２０に対してプラグコネクタ（第１コネクタ）１０が嵌合されるにあたっては、上述したプラグコンタクト部材１２の電極部（接点部）１２ａが、後述するレセプタクルコネクタ２０のレセコンタクト部材２２の電極部（接点部）に接触した状態で嵌合方向（前後方向）に摺動することとなる。そのようにプラグコンタクト部材１２の電極部１２ａがレセコンタクト部材２２の電極部を嵌合方向「前後方向」に摺動する領域を、特に図１０及び図２７において符号「Ｑ」で表している。
【００３４】
そして、上述したようにレセコンタクト部材２２の電極部（接点部）が、プラグコンタクト部材１２の電極部（接点部）１２ａを摺動する嵌合方向（前後方向）の領域Ｑに対して、前述したプラグコンタクト部材１２に設けられた固定片１２ｃは、嵌合方向（前後方向）の内方領域、すなわち上述した領域Ｑの範囲内に配置されている。
【００３５】
このような構成によれば、プラグコンタクト部材１２の電極部（接点部）１２ａがレセプタクルコネクタ２０のレセコンタクト部材２２を摺動する領域Ｑと、プラグコネクタ１０のプラグコンタクト部材１２に設けられた固定片１２ｃが配置されている領域とが、嵌合方向（前後方向）において重なり合った状態になされる。その結果、プラグコンタクト部材１２の嵌合方向（前後方向）における長さは、電極部１２ａと固定片１２ｃとが嵌合方向（前後方向）に沿って並んだプラグコンタクト部材１２の長さと比較して、当該嵌合方向において短縮化されることとなり、それによって電気コネクタ装置全体の小型化が図られるようになっている。
【００３６】
また、プラグコンタクト部材１２の電極部（接点部）１２ａは、図１１及び図１２に示すように「幅方向」において一対のものが対向するように配置されているが、それら一対の各電極部１２ａにおける「後方」の端縁部には、対向する相手側の電極部１２ａに向かって「幅方向」に突出する突当片１２ｄがそれぞれ設けられている。これらの各突当片１２ｄは、上述した絶縁ハウジング１１のコンタクト取付部１１ｂに対して「後方」から対面する配置関係になされており、プラグコンタクト部材１２が装着を完了した状態において、絶縁ハウジング１１のコンタクト取付部１１ｂの「後方」の端面に対して突当片１２ｄが当接する配置関係になされている。
【００３７】
このような突当片１２ｄが設けられた構成によって、プラグコンタクト部材１２の「前後方向」の位置決めが容易かつ確実に行われることとなり、絶縁ハウジング１１に対してプラグコンタクト部材１２を取り付けるにあたってのプラグコンタクト部材１２の挿入操作が安定的に行われる。
【００３８】
一方、プラグコンタクト部材１２には、図４に示すように上述した電極部（接点部）１２ａから「後方」寄りの部分に、斜め「上方」に向かって延出する一対の導体保持部１２ｂ，１２ｂが一体的に設けられている。それらの各導体保持部１２ｂは、細線同軸ケーブル（ケーブル状信号伝送媒体）ＳＣの端末部分に露出されたケーブル中心導体ＳＣａに対して、外方から巻き付けられるようにして湾曲状に折り曲げられる薄板状の金属材から構成されており、ケーブル中心導体ＳＣａにカシメ固定されることによって、細線同軸ケーブルＳＣに対してプラグコンタクト部材１２が連結された状態に維持されるようになっている。
【００３９】
また、上述したように湾曲状に折り曲げられた一対の導体保持部１２ｂ，１２ｂは、細線同軸ケーブル（ケーブル状信号伝送媒体）ＳＣのケーブル中心導体ＳＣａとともに、前述した絶縁ハウジング１１の端末配置空間１１ａの「後方」部分に設けられたケーブル配置通路１１ａ２の内部に収容されている。（図５（Ｂ）参照）
【００４０】
［導電性シェル部材について］
一方、絶縁ハウジング１１の外周表面は、図１に示すように薄厚の板状金属部材からなる導電性シェル部材１３により覆われているが、その導電性シェル部材１３は、絶縁ハウジング１１の外周表面を覆うシェル本体部１３ａを「前方」部分に備えている。当該シェル本体部１３ａは、上述したプラグコンタクト部材１２の電極部（接点部）１２ａが配置された端末配置空間１１ａに対するシールド機能を有している。
【００４１】
また、上述したシェル本体部１３ａから「後方」に向かってシールド保持部１３ｂが一体的に延出しているとともに、さらにそのシールド保持部１３ｂから「後方」に向かって外皮保持部１３ｃが一体的に延出している。これらのシールド保持部１３ｂ及び外皮保持部１３ｃは、図４に示すように斜め上方に向かって延出する一対の薄板状部材から形成されている。それらのシールド保持部１３ｂ及び外皮保持部１３ｃは、細線同軸ケーブル（ケーブル状信号伝送媒体）ＳＣの端末部分に露出されたケーブル外部導体ＳＣｂ及び外周被覆材ＳＣｄに対して、外方から巻き付けられ、湾曲状に折り曲げられるようにしてカシメ固定され、それによって細線同軸ケーブルＳＣに対して導電性シェル部材１３及びプラグコネクタ１０の全体が連結状態になされる。
【００４２】
［レセプタクルコネクタの概要について］
一方、前述したレセプタクルコネクタ（第２コネクタ）２０においては、特に図１４に示されているように、コネクタ本体部分を構成している絶縁ハウジング２１にレセコンタクト部材２２が取り付けられているとともに、そのレセコンタクト部材２２が取り付けられた絶縁ハウジング２１が、中空状をなす導電性シェル部材２３の「後方」端部分、すなわち嵌合方向の奥端に位置する部分の内部に圧入状態で装着されている。
【００４３】
また、導電性シェル部材２３の「前方」端部分、すなわち嵌合方向の手前に位置する部分には、シェル開口部２３ａが設けられており、そのシェル開口部２３ａから当該導電性シェル部材２３の中空状内部に向かって、前述したプラグコネクタ（第１コネクタ）１０が差し込まれる構成になされている。そして、そのプラグコネクタ１０が嵌合状態になされることによって、プラグコンタクト部材１２の電極部（接点部）１２ａ（図１参照）が、レセコンタクト部材２２の電極部（接点部）２２ａ（図１７参照）に接触して電気的に接続された状態になされる。
【００４４】
［絶縁ハウジングについて］
このようなレセプタクルコネクタ（第２コネクタ）２０の絶縁ハウジング２１は、図１７に示されているように、概略形状において正面略矩形状をなす板状の絶縁部材から形成されており、レセプタクルコネクタ２０が実装される配線基板（図示省略）の主面から「高さ方向」に立ち上がる状態に配置される。この実装状態における絶縁ハウジング２１の「下方」部分には、当該絶縁ハウジング２１の底面部から上方に向かって切り欠かれるようにして一対のコンタクト取付溝２１ａ，２１ａが、略平行に細長状に延在する状態に設けられている。それら一対のコンタクト取付溝２１ａ，２１ａには、次に説明するレセコンタクト部材２２が、「下方」から圧入状態で装着されている。
【００４５】
［レセコンタクト部材について］
すなわち、上述したレセコンタクト部材２２は、特に図１８及び図１９に示されているように、平面視したときに略Ｕ字形状をなすように折り曲げられた薄厚の金属板から形成されており、そのＵ字形状における閉塞部分を構成しているコンタクト基部２２ｂが、絶縁ハウジング２１の内部に固定状態になされている。このコンタクト基部１２ｂは、上述した絶縁ハウジング２１の底面位置から「上方」に向かって延出する板状部材から構成されており、当該コンタクト基部１２ｂの上方領域における「幅方向」の両側端縁からは、一対の電極部（接点部）２２ａ，２２ａが、嵌合方向の手前である「前方」に向かって延出している。
【００４６】
これら一対の電極部（接点部）２２ａ，２２ａは、上述した絶縁ハウジング２１のコンタクト取付溝２１ａ，２１ａから、嵌合方向の手前である「前方」に向かって突出しており、それら一対の電極部２２ａ，２２ａにおける延出方向の先端部分には、互いに近付く方向（幅方向）に張り出す接触部２２ｃ，２２ｃが、平面視において山形状をなすように設けられている。これらの接触部２２ｃ，２２ｃ同士の間隔は、前述したプラグコンタクト部材１２の電極部１２ａ，１２ａ同士の間隔よりやや小さく設定されている。そして、プラグコネクタ（第１コネクタ）１０がレセプタクルコネクタ（第２コネクタ）２０に差し込まれるようにして嵌合が行われた際に、レセコンタクト部材２２の電極部２２ａ，２２ａに設けられた両接触部２２ｃ，２２ｃ同士の間に、プラグコンタクト部材１２の電極部１２ａ，１２ａが挿入されて電気的な接触状態になされる配置関係となっている。
【００４７】
また、レセコンタクト部材２２においては、図１９に示すように上述した電極部２２ａ，２２ａの「高さ方向」における「下方」部分に、コンタクト基部２２ｂの「幅方向」の両側端縁から同じく「幅方向」の外方に向かって延出する一対の固定片２２ｄ，２２ｄが設けられている。これら一対の固定片２２ｄ，２２ｄは、絶縁ハウジング２１にレセコンタクト部材２２が装着された際に、絶縁ハウジング２１の側壁部に対して係合状態となり、それによってレセコンタクト部材２２の全体が、絶縁ハウジング２１に固定された状態に維持されるようになっている。
【００４８】
さらに、上述した固定片２２ｄ，２２ｄの「高さ方向」における「下方」部分においては、コンタクト基部２２ｂの下端部分が「後方」に向かって略直角に折れ曲がって略「水平方向」に延出して基板接続部２２ｅになされている。その基板接続部２２ｅは、図示を省略した配線基板の主面上に半田付けされ、それによってレセプタクルコネクタ（第２コネクタ）２０の実装が行われるようになっている。
【００４９】
［導電性シェル部材について］
一方、前述した絶縁ハウジング２１の外周表面を覆う薄厚の板状金属部材からなる導電性シェル部材２３は、図１３に示すように略四角柱形状をなす中空構造体から構成されており、当該導電性シェル部材２３の中空内部における「後方」端部分（嵌合方向の奥端部分）に、前述した絶縁ハウジング２１が取り付けられている。また、その導電性シェル部材２３の中空内部における「前方」端部分（嵌合方向の手前部分）に設けられたシェル開口部２３ａは、正面略矩形の開口形状を有しており、当該シェル開口部２３ａから上述した絶縁ハウジング２１に至るまでの部位が、前述したプラグコネクタ（第１コネクタ）１０が差し込まれる「中空挿入通路」になされている。
【００５０】
この導電性シェル部材２３は、実装時に配線基板（図示省略）の主面に対面する底面部を備えているが、その導電性シェル部材２３の底面部に対して「高さ方向」に対向する上面部には、舌片状をなすグランド接触片２３ｂが、導電性シェル部材２３の中空内部に向かって片持ち状に切り起こされた状態で設けられている。このレセプタクルコネクタ（第２コネクタ）２０に設けられたグランド接触片２３ｂは、当該レセプタクルコネクタ２０に嵌合されたプラグコネクタ（第１コネクタ）１０の導電性シェル部材１３の上面部に弾性的に当接して、グランド接続を行う配置関係になされている。
【００５１】
また、上述した導電性シェル部材２３のシェル開口部２３ａを形成している正面略矩形状の開口縁部のうち、「幅方向」における両側の端縁を形成している側壁面部２３ｃ，２３ｃの前端縁部には、帯板状部材からなる弾性アーム状部材２３ｄ，２３ｄがそれぞれ一体的に設けられている。それらの各弾性アーム状部材２３ｄは、シェル開口部２３ａの開口縁部から「前方」（嵌合方向の手前）に向かって一旦突出した直後に、それとは反対の「後方」（嵌合方向の奥）に向かって平面略Ｕ字形状をなすように折り返されている。そして、その折返し部から、上述した側壁面部２３ｃ，２３ｃの外表面に沿って、各弾性アーム状部材２３ｄが「後方」（嵌合方向の奥）に向かって片持ち状に延出している。
【００５２】
これらの各弾性アーム状部材２３ｄは、上述した折返し部の近傍を根元部分として略水平に延びていることから、嵌合方向に直交する水平面内において「幅方向」に弾性変位する構成になされている。
【００５３】
このように本実施形態における弾性アーム状部材２３は、導電性シェル部材２３のシェル開口部２３ａから延出した後に、その延出方向と反対の方向に折り返されて延びていることから、折り返された分だけ弾性を有するスパンが長尺化されることとなり、当該弾性アーム状部材２３に設けられた係止片２３ｅの弾性変位が十分に確保される。
【００５４】
なお、これらの弾性アーム状部材２３ｄは、導電性シェル部材２３から嵌合方向に延出させ、さらにその延出方向と反対の方向に折り返された状態に延在させた構成とすることも可能である。
【００５５】
そして、それらの各弾性アーム状部材２３ｄの延出方向における途中部分には、上述した導電性シェル部材２３の「中空挿入通路」に向かって突出する係止片２３ｅがそれぞれ設けられている。これらの各係止片２３ｅは、導電性シェル部材２３における「前後方向」の略中央部分に対応した位置に設けられており、上述した各弾性アーム状部材２３ｄにおける「下方」の端縁部から略直角に折れ曲がってコネクタ内方、すなわち導電性シェル部材２３の「中空挿入通路」に向かう方向に延出している。そして、上述したように各弾性アーム状部材２３ｄが弾性変位するに伴って、各係止片２３ｅは、嵌合方向に直交する方向である「幅方向」に弾性変位が行われる構成になされている。（図２４参照）
【００５６】
一方、上述した導電性シェル部材２３の各側壁面部２３ｃにおける、係止片２３ｅに対応する位置には、側面略矩形状をなす貫通穴２３ｆが形成されている。この貫通穴２３ｆは、上述した側壁面部２３ｃを板厚方向に貫通するようにして設けられており、当該貫通穴２３ｆに対して、「幅方向」の外方から係止片２３ｅが差し込まれた状態（挿通された状態）になされている。
【００５７】
この貫通穴２３ｆに差し込まれた係止片２３ｅは、上述した弾性アーム状部材２３ｄの弾性変位に伴って、導電性シェル部材２３の中空挿入通路に対して「幅方向」に突没する配置関係になされている。すなわち、プラグコネクタ（第１コネクタ）１０が「中空挿入通路」の内部に差し込まれる前の「初期状態」においては、図２８（Ａ）に示されているように「中空挿入通路」内に係止片２３ｅが突出した状態になされているが、その「初期状態」から弾性アーム状部材２３ｄ（係止片２３ｅ）が、シェル本体部１３ａに当接して、図２８（Ｂ）に示されているように「幅方向」の外方に向かって押し広げられるように弾性変位されることによって、上述した「中空挿入通路」内から係止片２３ｅが離脱して没した状態に移行する構成になされている。
【００５８】
このように導電性シェル部材２３の貫通穴２３ｆを通して導電性シェル部材２３の「中空挿入通路」に突没するように設けられた係止片２３ｅの外周縁部は、図２４及び図２８に示すように平面視において略台形状を有している。そして、この係止片２３ｅの外周縁部における嵌合方向の奥の端縁（後方端縁）が、「幅方向」に比較的長いコネクタ当接面２３ｅ１になされているとともに、コネクタ当接面２３ｅ１に対向して設けられ、嵌合方向の手前の端縁（前方端面）が、「幅方向」に比較的短いシェル当接面２３ｅ２になされている。これらのコネクタ当接面２３ｅ１とシェル当接面２３ｅ２とは、嵌合方向（前後方向）に一定の間隔をなして略平行に延在する配置関係になされている。
【００５９】
上述したように、係止片２３ｅのコネクタ当接面２３ｅ１は、導電性シェル部材２３の「中空挿入通路」内に比較的大きな突出長をなす状態に配置されているが、その「中空挿入通路」内にプラグコネクタ（第１コネクタ）１０が差し込まれた場合にあっては、図２８（Ｃ）に示されているように、プラグコネクタ１０の導電性シェル部材１３を構成しているシェル本体部１３ａの「後方」端面（嵌合方向の手前の端面）をなす後端当接面１３ｄが、上述した係止片２３ｅのコネクタ当接面２３ｅ１に対して、嵌合方向の奥から対面する配置関係になされている。この状態において、プラグコネクタ１０に対して抜去方向の外力が付加されると、当該プラグコネクタ１０の導電性シェル部材１３の一部であるシェル本体部１３ａが、係止片２３ｅのコネクタ当接面２３ｅ１に対して嵌合方向の奥から手前に向かって当接し、プラグコネクタ１０が「中空挿入通路」内に保持される。
【００６０】
一方、上述したようにプラグコネクタ（第１コネクタ）１０の導電性シェル部材１３を構成しているシェル本体部１３ａの後端当接面１３ｄが、係止片２３ｅのコネクタ当接面２３ｅ１に対して嵌合方向の奥から対面した状態から、弾性アーム状部材２３ｄが「幅方向」の外方に向かって弾性変位し、「中空挿入通路」から係止片２３ｅが「幅方向」の外方に離脱した状態となると、コネクタ当接面２３ｅ１を含む係止片２３ｅの全体が、「中空挿入通路」内に差し込まれているプラグコネクタ１０の導電性シェル部材１３に当接しない外方の位置まで引き出され、プラグコネクタ１０の抜去が可能となる。
【００６１】
また、上述した係止片２３ｅにおける嵌合方向の手前の端縁（前方端縁）を構成しているシェル当接面２３ｅ２は、「中空挿入通路」に向かって比較的小さな突出長をなす状態に配置されている。この係止片２３ｅに設けられたシェル当接面２３ｅ２に対しては、図２４及び図２８に示されているように、上述した貫通穴２３ｆを形成している開口縁部のうち、嵌合方向の手前に位置する端縁（前方端縁）である係止当接縁２３ｆ１が、嵌合方向の手前から近接又は当接する状態に配置されている。
【００６２】
そして、前述したように「中空挿入通路」内に差し込まれたプラグコネクタ（第１コネクタ）１０の導電性シェル部材１３の一部であるシェル本体部１３ａの後端当接面１３ｄが、係止片２３ｅのコネクタ当接面２３ｅ１に対して嵌合方向の奥から抜去方向に当接することによって、係止片２３ｅの全体が嵌合方向の手前（抜去方向）に向かって押圧移動されると、図２８（Ｄ）に示されているように、上述した係止片２３ｅのシェル当接面２３ｅ２が、貫通穴２３ｆにおける嵌合方向の手前に位置する係止当接縁２３ｆ１に対して当接する配置関係になされている。
【００６３】
このように貫通穴２３ｆの係止当接縁２３ｆ１に当接した係止片２３ｅは、上述したプラグコネクタ（第１コネクタ）１０の導電性シェル部材１３の一部（シェル本体部１３ａの後端当接面１３ｄ）と、上述した貫通穴２３ｆの係止当接縁２３ｆ１との間に挟持された状態になされ、プラグコネクタ１０から係止片２３ｅが離脱する事態が回避されることとなる。
【００６４】
さらに、上述した係止片２３ｅの外周縁部のうち、シェル当接面２３ｅ２が中空挿入通路内に突出している先端からは、図２４及び図２８に示すように案内傾斜辺２３ｅ３が嵌合方向に向かって中空挿入通路内に張り出す量が大きくなるように延出している。この案内傾斜辺２３ｅ３に対しては、前述したように「中空挿入通路」内に挿入されたプラグコネクタ（第１コネクタ）１０の導電性シェル部材１３が、嵌合方向の手前から当接する位置関係に配置されている。
【００６５】
すなわち、前述したようにレセプタクルコネクタ（第２コネクタ）２０の「中空挿入通路」内にプラグコネクタ（第１コネクタ）１０が挿入されると、まず図２８（Ａ）に示されているように、プラグコネクタ１０の導電性シェル部材１３を構成しているシェル本体部１３ａの前端部分（嵌合方向の奥端部分）が、上述した係止片２３ｅの案内傾斜辺２３ｅ３に当接し、その後にプラグコネクタ１０の挿入が進められるに従って係止片２３ｅは、図２８（Ｂ）に示されているように弾性アーム状部材２３ｄの弾性力に抗して「幅方向」の外方に押しやられるように変位する。
【００６６】
そして、図２８（Ｃ）に示されているように、プラグコネクタ１０の嵌合が終了した時点において、当該プラグコネクタ１０の導電性シェル部材１３が、係止片２３ｅから嵌合方向に離脱することにより、弾性アーム状部材２３ｄの弾性に従って係止片２３ｅが元の位置に復帰する。その結果、係止片２３ｅのコネクタ当接面２３ｅ１に対して、プラグコネクタ１０の導電性シェル部材１３を構成している後端当接面１３ｄが、嵌合方向の奥から対向した状態に配置される。
【００６７】
そして、そのようなプラグコネクタ１０の導電性シェル部材１３と係止片２３ｅとの対向状態から、プラグコネクタ１０が、レセプタクルコネクタ２０から抜け出す方向に外力を受けると、プラグコネクタ１０の導電性シェル部材１３を構成しているシェル本体部１３ａの後端当接面１３ｄが、嵌合方向の奥から係止片２３ｅに当接する。これにより、プラグコネクタ１０の移動が規制され、プラグコネクタ１０の抜け出しが基本的に防止される。
【００６８】
このようなプラグコネクタ（第１コネクタ）１０に対して、さらにレセプタクルコネクタ（第２コネクタ）２０から抜け出す方向の外力が付加され続けると、図２８（Ｄ）に示されているように、弾性アーム状部材２３ｄの弾性変位を伴いながら係止片２３ｅが、貫通穴２３ｆの内方領域を嵌合方向の手前である「後方」に向かって移動し、当該係止片２３ｅのシェル当接面２３ｅ２が、導電性シェル部材２３の一部である、嵌合方向の手前に対向配置された貫通穴２３ｆの係止当接縁２３ｆ１に当接する。これ以降においては、プラグコネクタ１０の抜け出しが強固に防止される。
【００６９】
なお、各弾性アーム状部材２３の延出端部分、すなわち上述した係止片２３ｅから嵌合方向に片持ち状に延出している部分は、図１３に示すように係止片２３ｅを中空挿入通路から離脱させるための解除操作部２３ｇになされている。それらの各解除操作部２３ｇに対して「幅方向」の外方に向かう解除操作力が付与されると、弾性アーム状部材２３とともに係止片２３ｅが「幅方向」の外方に弾性変位し、プラグコネクタ（第１コネクタ）１０に対して係止片２３ｅが当接しない位置まで変位されることによって、プラグコネクタ１０の抜去が可能となる。
【００７０】
上述したように本実施形態にかかる構成によれば、レセプタクルコネクタ（第２コネクタ）２０に嵌合状態になされた相手コネクタであるプラグコネクタ（第１コネクタ）１０に対して、嵌合方向と反対の方向である抜去方向に外力が付加された際に、プラグコネクタ１０の一部である導電性シェル部材１３が、レセプタクルコネクタ２０の係止片２３ｅのコネクタ当接面２３ｅ１に嵌合方向の奥から当接する。また、その係止片２３ｅのシェル当接面２３ｅ２が、レセプタクルコネクタ２０の導電性シェル部材２３の一部であって上記シェル当接面２３ｅ２に対して嵌合方向の手前に対向配置された貫通穴２３ｆの係止当接縁２３ｆ１に当接する。その結果、プラグコネクタ１０と導電性シェル部材との間に係止片２３ｅが挟持された状態となって、プラグコネクタ１０から係止片２３ｅが外れてロック解除に至るような事態が回避される。
【００７１】
以上、本発明者によってなされた発明を実施形態に基づき具体的に説明したが、本実施形態は上述した実施形態に限定されるものではなく、その要旨を逸脱しない範囲で種々変形可能であるというのはいうまでもない。
【００７２】
例えば、上述した実施形態は、水平嵌合型の電気コネクタに本発明を適用したものであるが、垂直嵌合型の電気コネクタに対しても同様に適用することができる。
【００７３】
また、本発明は、上述した実施形態のような単芯の細線同軸ケーブル用コネクタに限定されることはなく、多極状に配置された同軸ケーブル用コネクタや、同軸ケーブルと絶縁ケーブルとが複数混合したタイプの電気コネクタ等についても同様に適用することが可能である。
【産業上の利用可能性】
【００７４】
以上のように本実施形態は、各種電気機器に使用される多種多様な電気コネクタに対して広く適用することが可能である。
【符号の説明】
【００７５】
１０  プラグコネクタ（相手コネクタ、第１コネクタ）
１１  絶縁ハウジング
１１ａ  端末配置空間
１１ａ１  コネクタ嵌合通路
１１ａ２  ケーブル配置通路
１１ｂ  コンタクト取付部
１２  プラグコンタクト部材
１２ａ  電極部
１２ｂ  導体保持部
１２ｃ  固定片
１２ｄ  突当片
１３  導電性シェル部材
１３ａ  シェル本体部
１３ｂ  シールド保持部
１３ｃ  外皮保持部
１３ｄ  後端当接面
２０  レセプタクルコネクタ（第２コネクタ）
２１  絶縁ハウジング
２１ａ  コンタクト取付溝
２２  レセコンタクト部材
２２ａ  電極部
２２ｂ  コンタクト基部
２２ｃ  接触部
２２ｄ  固定片
２２ｅ  基板接続部
２３  導電性シェル部材
２３ａ  シェル開口部
２３ｂ  グランド接触片
２３ｃ  側壁面部
２３ｄ  弾性アーム状部材
２３ｅ  係止片
２３ｅ１  コネクタ当接面
２３ｅ２  シェル当接面
２３ｅ３  案内傾斜辺
２３ｆ  貫通穴
２３ｆ１  係止当接縁
２３ｇ  解除操作部
ＳＣ  細線同軸ケーブル（ケーブル状信号伝送媒体）
ＳＣａ  ケーブル中心導体（信号線）
ＳＣｂ  ケーブル外部導体（シールド線）
ＳＣｃ  ケーブル誘電体
ＳＣｄ  外周被覆材
A17078
【図１】
2018186057.tif 000003
【図２】
2018186057.tif 000004
【図３】
2018186057.tif 000005
【図４】
2018186057.tif 000006
【図５】
2018186057.tif 000007
【図６】
2018186057.tif 000008
【図７】
2018186057.tif 000009
【図８】
2018186057.tif 000010
【図９】
2018186057.tif 000011
【図１０】
2018186057.tif 000012
【図１１】
2018186057.tif 000013
【図１２】
2018186057.tif 000014
【図１３】
2018186057.tif 000015
【図１４】
2018186057.tif 000016
【図１５】
2018186057.tif 000017
【図１６】
2018186057.tif 000018
【図１７】
2018186057.tif 000019
【図１８】
2018186057.tif 000020
【図１９】
2018186057.tif 000021
【図２０】
2018186057.tif 000022
【図２１】
2018186057.tif 000023
【図２２】
2018186057.tif 000024
【図２３】
2018186057.tif 000025
【図２４】
2018186057.tif 000026
【図２５】
2018186057.tif 000027
【図２６】
2018186057.tif 000028
【図２７】
2018186057.tif 000029
【図２８】
2018186057.tif 000030